(57)【要約】      （修正有）【課題】立体視覚効果を有し、更に電子機能を有する立体電子カードを提供する。【解決手段】折り畳まれて連結されている第１のシート部分１と第２のシート部分５とを有し、第１のシート部分と第２のシート部分との間には立体組み合わせ部分２が取付けられて、第１のシート部分と第２のシート部分とが互いに展開したときには立体組み合わせ部分は直立して三次元形状を形成し、第１のシート部分と第２のシート部分とが折り畳まれたときには立体組み合わせ部分は第１のシート部分と第２のシート部分との間に平面となり挟み込まれるように折り畳まれ；第１のシート部分又は第２のシート部分上には回路板４が取付けられており、回路板上にはオーディオチップと、スピーカと、給電用電源が取付けられ、第１のシート部分又は第２のシート部分には回路板に電気的に接続するトリガスイッチ３が更に取付けられており、トリガスイッチをトリガしてスピーカが機能する。【選択図】図１
2019048446.tif 000002
【特許請求の範囲】
【請求項１】
折り畳まれて連結されている第１のシート部分と第２のシート部分とを有しており、前記第１のシート部分と第２のシート部分との間には立体組み合わせ部分が取付けられており、前記第１のシート部分と第２のシート部分とが互いに展開したときには前記立体組み合わせ部分は直立して三次元形状を形成し、前記第１のシート部分と第２のシート部分とが折り畳まれたときには前記立体組み合わせ部分は第１のシート部分と第２のシート部分との間に平面となり挟み込まれるように折り畳まれ；前記第１のシート部分又は第２のシート部分上には回路板が取付けられており、前記回路板上にはオーディオチップと、スピーカと、給電用電源が取付けられており、前記第１のシート部分又は第２のシート部分には回路板に電気的に接続するトリガスイッチが更に取付けられており、トリガスイッチをトリガしてスピーカが機能する、ことを特徴とする立体電子カード。
【請求項２】
前記第１のシート部分又は第２のシート部分には、回路板に電気的に接続するｉＢｅａｃｏｎモジュールが更に取付けられている、ことを特徴とする請求項１に記載の立体電子カード。
【請求項３】
前記第１のシート部分又は第２のシート部分の表面には、ＮＦＣタグが更に設けられている、ことを特徴とする請求項１に記載の立体電子カード。
【請求項４】
前記ＮＦＣタグにはウェブサイトリンクが格納されている、ことを特徴とする請求項２に記載の立体電子カード。
【請求項５】
前記第１のシート部分及び第２のシート部分が、紙、木板又は竹板を折り畳み合わせてなる、ことを特徴とする請求項１に記載の立体電子カード。
【請求項６】
前記立体組み合わせ部分が紙、布又はその他織布品加工ピースで組み合わせたキャラクタモデル、動植物モデル、建築物モデル、風景モデル又は車・船モデルである、ことを特徴とする請求項１に記載の立体電子カード。
【請求項７】
前記第１のシート部分及び第２のシート部分上には、回路板に電気的に接続する光ファイバが取付けられている、ことを特徴とする請求項１に記載の立体電子カード。
【請求項８】
前記回路板上には録音モジュールが設けられている、ことを特徴とする請求項１に記載の立体電子カード。
【請求項９】
前記第１のシート部分及び第２のシート部分の表面には、レーザ加工層が設けられている、ことを特徴とする請求項１に記載の立体電子カード。
【請求項１０】
前記立体組み合わせ部分の表面には、レーザ加工層が設けられている、ことを特徴とする請求項１に記載の立体電子カード。
【発明の詳細な説明】
【技術分野】
【０００１】
本発明はグリーティングカードに関し、とりわけ立体視覚効果を有し、更に電子機能を有する立体電子カードに関する。
【背景技術】
【０００２】
グリーティングカードは、主に誕生日などのお祝いとして、ある種のグリーティングカードは開いたときに心地よい祝福の音楽を再生することができる。従来の音楽グリーティングカードは一般的に音楽を再生する機能しかなく、機能は単一的であり、慶び、お祝いも効果に富んでいない。現在、市販されているグリーティングカードには二種類あって、一つは従来のデザインカードであり、各種図案設計及びキャラクタ、飾りを加えることで特定効果を達成するが、近年では、紙のカードでの加工技術が常に進歩していることから、設計も多様化しており、典型的にはレーザ立体加工カードである。もう一つは単純な電子カードであって、カードに電子回路を加えて音声、光効果を発生させるというものである。
【発明の概要】
【発明が解決しようとする課題】
【０００３】
従来技術の欠点を克服するために、本発明は立体視覚効果を有し、更に電子機能を有する立体電子カードに関する。
【課題を解決するための手段】
【０００４】
本発明は以下の技術措置により実現するものであって、立体電子カードは、折り畳まれて連結されている第１のシート部分と第２のシート部分とを有しており、前記第１のシート部分と第２のシート部分との間には立体組み合わせ部分が取付けられており、前記第１のシート部分と第２のシート部分とが互いに展開したときには前記立体組み合わせ部分は直立して三次元形状を形成し、前記第１のシート部分と第２のシート部分とが折り畳まれたときには前記立体組み合わせ部分は第１のシート部分と第２のシート部分との間に平面となり挟み込まれるように折り畳まれ；前記第１のシート部分又は第２のシート部分上には回路板が取付けられており、前記回路板上にはオーディオチップと、スピーカと、給電用電源が取付けられており、前記第１のシート部分又は第２のシート部分には回路板に電気的に接続するトリガスイッチが更に取付けられており、トリガスイッチをトリガしてスピーカが機能する。
【０００５】
好ましい形態として、前記第１のシート部分又は第２のシート部分には、回路板に電気的に接続するｉＢｅａｃｏｎモジュールが更に取付けられている。
【０００６】
好ましい形態として、前記第１のシート部分又は第２のシート部分の表面には、ＮＦＣタグが更に設けられている。
【０００７】
好ましい形態として、前記前記ＮＦＣタグにはウェブサイトリンクが格納されている。
【０００８】
好ましい形態として、前記第１のシート部分及び第２のシート部分が、紙、木板又は竹板を折り畳み合わせてなる。
【０００９】
好ましい形態として、前記立体組み合わせ部分が紙、布又はその他織布品加工ピースで組み合わせたキャラクタモデル、動植物モデル、建築物モデル、風景モデル又は車・船モデルである。
【００１０】
好ましい形態として、前記第１のシート部分及び第２のシート部分上には、回路板に電気的に接続する光ファイバが取付けられている。
【００１１】
好ましい形態として、前記回路板上には、録音モジュールが設けられる。
【００１２】
好ましい形態として、前記第１のシート部分及び第２のシート部分の表面には、レーザ加工層が設けられている。
【００１３】
好ましい形態として、前記立体組み合わせ部分の表面には、レーザ加工層が設けられている。
【発明の効果】
【００１４】
本発明は従来の立体カード上に回路板を追加したものであって、立体カードの精緻な効果を有するのみでなく、スピーカ、光といった付加的な効果も追加することができ、立体カード及び電子カードの長所を集約するとともに相乗効果をもたらすことができる。
【図面の簡単な説明】
【００１５】
【図１】本発明の実施例の展開した構造概略図である。
【図２】本発明の実施例にＮＦＣタグが追加されている展開構造概略図である。
【図３】本発明の実施例にＮＦＣタグが追加されている折り畳み構造概略図である。
【発明を実施するための形態】
【００１６】
以下にて実施例を合わせるとともに、図面を対照して、本発明をより詳細に説明する。
【００１７】
一般的な電子回路は、図１から図３を参照するに、折り畳まれて連結されている第１のシート部分１と第２のシート部分５とを有しており、前記第１のシート部分１と第２のシート部分５との間には立体組み合わせ部分２が取付けられており、前記第１のシート部分１と第２のシート部分５とが互いに展開したときには前記立体組み合わせ部分２は直立して三次元形状を形成し、前記第１のシート部分１と第２のシート部分５とが折り畳まれたときには前記立体組み合わせ部分２は第１のシート部分１と第２のシート部分５との間に平面となり挟み込まれるように折り畳まれる；第２のシート部分５の中央には回路板４が取付けられており、前記回路板４上にはオーディオチップと、スピーカと、給電用電源が取付けられており、第２のシート部分５の角部には回路板４に電気的に接続するトリガスイッチ３が更に取付けられており、本実施例におけるトリガスイッチ３はプッシュスイッチであり、その実施例においてはその他形式のスイッチとしてもよく、第１のシート部分１と第２のシート部分５とが展開したとき、トリガスイッチ３を押下してスピーカが機能する。
【００１８】
本電子カードは従来の立体カード上に回路板４を追加したものであって、立体カードの精緻な効果を有するのみでなく、スピーカ、光といった付加的な効果も追加することができ、立体カード及び電子カードの長所を集約するとともに相乗効果をもたらすことができる。
【００１９】
一つの実施例の立体電子カードは、図１及び図２を参照するに、上記した技術手法を基礎として、具体的には更に、第２のシート部分の回路板４上に更にｉＢｅａｃｏｎモジュールが取付けられているようにすることができる。回路板４にはｉＢｅａｃｏｎ出射モジュールが取付けられているので、該回路板４はｉＢｅａｃｏｎモジュール出射を持たせることになり、トリガスイッチ３をトリガして回路板４が動作すると、ｉＢｅａｃｏｎ携帯電話機などのスマート端末が有効範囲内でｉＢｅａｃｏｎモジュールが出射した情報（例えば自動受信又は携帯電話機を振ることで携帯電話機がｉＢｅａｃｏｎ情報を受信する等の方式を起動する）を受信することができるので、関連する携帯電話機等のスマート端末はｉＢｅａｃｏｎモジュールが出射した情報（所定のウェブサイトリンク、例えば回路板４に格納されているものと同一の音楽又は予め録音されてネット上に配信されているメッセージ等）に基づいてリンクを開いて再生する。
【００２０】
一つの実施例の立体電子カードは、図２及び図３を参照するに、上記した技術手法を基礎として、具体的には更に、第２のシート部分５の表面に更にＮＦＣタグ６が設けられている。ＮＦＣタグ６にはネットリンク（所定のウェブサイトリンク、例えば回路板４に格納されているものと同一の音楽又は予め録音されてネット上に配信されているメッセージ等）が格納されている。ＮＦＣタグ６が、ＮＦＣ読み取り機能付きの携帯電話機等の移動端末が近づくと、移動端末はＮＦＣタグ６中のウェブサイトリンクを開いて再生する。電子カードが開かれていないとき、不法な携帯電話機でＮＦＣタグ６中のウェブサイトリンクを読み取り可能となるのを防止するために、ＮＦＣタグ６を第２のシート部分５内表面に設けて、第２のシート部分５の外表面と第１のシート部分１の対応する表面にはシールド層としての金属シート７が設けられることで、電子カードを開くだけで第２のシート部分５内表面からＮＦＣタグ６中の情報を読み取ることができる。
【００２１】
一つの実施例の立体電子カードは、図１から図３を参照するに、上記した技術手法を基礎として、具体的には更に、第１のシート部分１及び第２のシート部分５は図案印刷、レーザ加工パターンを有しており、あるものは一枚の紙を折り畳んだものであり、あるものは上下二枚が合わさるようにしてなり、材質は紙、木板、竹板等であり、主に図案でテーマを表現するものとすることができる。
【００２２】
一つの実施例の立体電子カードは、図１から図３を参照するに、上記した技術手法を基礎として、具体的には更に、立体組み合わせ部分２はレーザ加工シートの立体組体であり、この部分は複数枚のレーザ加工シートのピースを組み合わせており、その材料の多くは紙であるが、布であったり、その他織布品等であるが、この部分のイメージはキャラクタ、動植物、建築物、風景、車、船及びその他人工的なツール、玩具等とすることができる。
【００２３】
一つの実施例の立体電子カードは、上記した技術手法を基礎として、具体的には更に、第２のシート部分上には更に、回路板に電気的に接続するランプ、光ファイバ及び録音モジュール等が取付けられているものとをすることができる。
【００２４】
以上、本発明の立体電子カードに対して詳細な説明を行って、本発明の理解の一助としたが、本発明の実施形態は上記実施例に制限されることなく、本発明の原理から外れることなく行ったいずれの変更、付加、交換、組み合わせ、簡素化はいずれも等価の置換方式であって、いずれも本発明の保護範囲内に含まれるものである。
【図１】
2019048446.tif 000003
【図２】
2019048446.tif 000004
【図３】
2019048446.tif 000005